(57)【要約】      （修正有）【課題】ドアを施錠したか否かの表示手段を設け、ドアの施錠状態が一目で分かるようにして、ドアの施錠忘れを防止するドア施錠装置を提供する。【解決手段】人体センサ５が人を検知したとき、ハンドル基部１の中に配設された発光素子を発光させ、発光部３が光るようにして、暗闇でもドアハンドル部分の位置が容易に確認できるようにする。さらに、施錠検知手段を設け、キーシリンダ４に差し込まれたキーによりドアが施錠されたとき、それを検知して、前記発光部３を所定時間発光させることにより、ドアの施錠状態が一目で分かるようにする。【選択図】図２
0003177485.tif 000002
【実用新案登録請求の範囲】
【請求項１】
ハンドル基部１とハンドル先部２とよりなるドア取手と、ドアを施錠する錠と、該錠が施錠されたことを検知する施錠検知手段と、前記ドア取手に設けられた発光素子と、該発光素子の発光を制御する制御回路とを備え、前記施錠検知手段により施錠が検知されたとき、前記発光素子を所定時間発光させることを特徴とするドア施錠装置。
【請求項２】
ドアの前に人が居ることを検知する人体検知手段を備え、該人体検知手段が人を検知したとき、前記発光素子を発光させることを特徴とする請求項１に記載のドア施錠装置。
【請求項３】
前記制御回路及び発光素子は、バッテリーを電源として動作することを特徴とする請求項１又は２に記載のドア施錠装置。
【請求項４】
前記バッテリーの出力電圧が所定値以下になったとき、前記発光素子を発光させることを特徴とする請求項３に記載のドア施錠装置。
【請求項５】
前記錠は、生体認証装置を備え、該生体認証装置により、正規の登録者であることが認証されたときのみ解錠されることを特徴とする請求項１，２，３又は４に記載のドア施錠装置。
【考案の詳細な説明】
【技術分野】
【０００１】
本考案は、建物出入口のドアに適用するためのドア施錠装置に関するものである。
【背景技術】
【０００２】
建物出入口のドアは、ドアに取り付けられたハンドル又はドアノブを操作して、ドア枠のラッチ穴にラッチボルトを挿脱することにより開閉を行う。そのようなドアには、通常、施錠装置を設けて、他人が勝手にドアを開けられないようにしている。ドア施錠装置は、ドア外側にキーの挿入穴を有するキーシリンダと、ドア内側に設けられたサムターンと、前記キーシリンダに差し込まれたキー及びサムターンの操作によりドア木口から出し入れされるデッドボルトと、ドア枠に穿設され、前記デッドボルトを受け入れる鍵受穴とからなり、前記キー又はサムターンを操作して、ドア枠の鍵受穴にデッドボルトを挿脱することによりドアの施錠・解錠を行う。
【０００３】
そのようなドアにおいて、特許文献１に示されるように、暗闇でもドアハンドル部分の位置が容易に確認できるように、ハンドル部分に人体感知センサとＬＥＤ等よりなる発光素子を組み込み、人がドアの前に立ったとき、前記人体感知センサでそれを感知して、前記発光素子を発光させるようにした技術が開発されている。
【０００４】
そのような技術を採用すれば、暗闇でもドアハンドル部分の位置が容易に確認でき、夜間にドアを解錠してドアを開ける際に便利である。
【先行技術文献】
【特許文献】
【０００５】
【特許文献１】中国実用新案授権公告第２０１８０２１３７号公報
【考案の概要】
【考案が解決しようとする課題】
【０００６】
ところで、ドアを閉めて外出する際に、ドアの施錠を忘れたまま外出してしまったり、ドアの施錠を忘れていないか気になることがよくある。しかしながら、上記公報のドア施錠装置を含めて従来のドア施錠装置では、施錠したか否かの表示手段を備えていないため、施錠忘れが生じ易いという問題点があった。また、施錠を忘れていないか確認するには、ハンドルを回してみる必要があり、ドアから離れた後であれば、ドアの前まで戻って、ハンドルを操作してみる必要があって、手間がかかるという問題点があった。
【０００７】
本考案は、そのような問題点に鑑み、ドアを施錠したか否かの表示手段を設け、ドアの施錠状態が一目で分かるようにして、ドアの施錠忘れを防止することを目的とするものである。
【課題を解決するための手段】
【０００８】
前記課題を解決するため、本願の請求項１にかかる考案は、ドア取手と、ドアを施錠する錠と、該錠が施錠されたことを検知する施錠検知手段と、前記ドア取手に設けられた発光素子と、該発光素子の発光を制御する制御回路とを備え、前記施錠検知手段により施錠が検知されたとき、前記発光素子を所定時間発光させることを特徴とする。
【０００９】
また、本願の請求項２にかかる考案は、請求項１にかかる考案において、ドアの前に人が居ることを検知する人体検知手段を備え、該人体検知手段が人を検知したとき、前記発光素子を発光させることを特徴とする。
【００１０】
また、本願の請求項３にかかる考案は、請求項１又は２にかかる考案において、前記制御回路及び発光素子は、バッテリーを電源として動作することを特徴とする。
【００１１】
また、本願の請求項４にかかる考案は、請求項３にかかる考案において、前記バッテリーの出力電圧が所定値以下になったとき、前記発光素子を発光させることを特徴とする。
【００１２】
また、本願の請求項５にかかる考案は、請求項１，２，３又は４にかかる考案において、前記錠は、生体認証装置を備え、該生体認証装置により、正規の登録者であることが認証されたときのみ解錠されることを特徴とする。
【考案の効果】
【００１３】
本考案のドア施錠装置は、次のような効果を奏する。
すなわち、請求項１にかかる考案においては、施錠検知手段により施錠が検知されたとき、発光素子を所定時間発光させるようにしたので、ドアの施錠状態が一目で分かるようになって、ドアの施錠忘れを防止することができる。
【００１４】
また、請求項２にかかる考案においては、請求項１にかかるドア施錠装置において、ドアの前に人が居ることを検知する人体検知手段を設け、該人体検知手段が人を検知したとき、前記発光素子を発光させるようにしたので、同じ発光素子を共用して、暗闇でもドアハンドル部分の位置が容易に確認できるようになる。
【００１５】
また、請求項３にかかる考案においては、請求項１又は２にかかるドア施錠装置において、制御回路及び発光素子が、バッテリーを電源として動作するようにしたので、電源用の長いコードを配線する必要がない。
【００１６】
また、請求項４にかかる考案においては、請求項３にかかるドア施錠装置において、バッテリーの出力電圧が所定値以下になったとき、前記発光素子を発光させるようにしたので、バッテリーの交換時期を的確に把握できる。
【００１７】
また、請求項５にかかる考案においては、請求項１，２，３又は４にかかるドア施錠装置において、生体認証装置により、正規の登録者であることが認証されたときのみ錠が解錠されるようにしたので、防犯効果が向上する。
【図面の簡単な説明】
【００１８】
【図１】本願発明の第一実施例に係るドア施錠装置を示す図である。
【図２】第一実施例のドア施錠装置の斜視図である。
【図３】取手部分を示す図である。
【図４】本願発明のドア施錠装置の制御システムを示す図である。
【図５】本願発明の第二実施例に係るドア施錠装置を示す図である。
【図６】本願発明の第三実施例に係るドア施錠装置を示す図である。
【考案を実施するための形態】
【００１９】
以下、本考案の実施例を図面に基づいて詳細に説明する。
【実施例１】
【００２０】
図１は、本願発明の第一実施例に係るドア施錠装置を示す図であり、図２は、その斜視図である。図１，図２において、１はハンドル基部、２はハンドル先部、３は発光部、４はキーシリンダ、５は人体センサ、６はラッチボルト、７はデッドボルト、８は施解錠機構が収納される錠箱、９はフロント板、１０はフロント板９をドア木口に取り付けるため
のビス孔である。
【００２１】
図３に、取手部分を（Ａ）平面図と（Ｂ）下面図として示すように、ハンドル基部１にハンドル先部２を結合させてドアの取手としている。ハンドル基部１はステンレス等の金属で形成し、内部が空洞になっており、その中に、レンズ１３，発光素子１４及びその発光を制御する制御回路１５等を収納している。一方、ハンドル先部２は、アクリル樹脂等の透明な樹脂で充実棒状体に形成され、ハンドル基部１の先端部に嵌め込まれ、ビス孔１１，１２にビスをねじ込むことにより固定される。また、ハンドル先部２の外面は、発光部３を除いて遮光性の層で覆っている。なお、ハンドル基部１へのハンドル先部２の固定手段として、ビスを用いる代わりに、ハンドル基部１の先端部内側とハンドル先部２の嵌合部にネジを切ってねじ込み式にしてもよい。
【００２２】
このドア施錠装置は、建物出入口のドアに取り付けられ、ハンドル基部１とハンドル先部２とよりなる取手部分を操作して、ラッチボルト６を出し入れすることにより開閉を行う。そして、そのハンドル基部１の近傍のドア外側には、キーの挿入穴を有するキーシリンダ４が設けられ、ドア内側には図示しないサムターンが設けられており、キーシリンダ４に差し込まれたキー及びサムターンの操作により、デッドボルト７がフロント板９から出し入れされてドアの施錠・解錠を行うようにしている。
【００２３】
人体センサ５は、ドアの前に人が居ることを検知する人体検知手段として機能し、人体センサ５が人を検知したとき、ハンドル基部１の中に配設された発光素子を発光させ、発光部３が光るようにして、暗闇でもドアハンドル部分の位置が容易に確認できるようにしている。本発明のドア施錠装置ではさらに、施錠検知手段を設け、ドアが施錠されたとき、それを検知して、前記発光素子を発光させることにより、ドアの施錠状態が一目で分かるようにしている。
【００２４】
図４は、本願発明のドア施錠装置の制御システムを示す図である。符号４，５，１４，１５は、図１〜図３のものに対応しており、１６は発光素子１４，制御回路１５の電源となるバッテリー、１７はキーシリンダ４による施錠・解錠に応じてオンオフする施錠応動スイッチ、１８はキーシリンダ４の鍵孔に差し込まれたキーである。バッテリー１６は、ハンドル基部１の中に収納してもよいし、その他のスペースに収納しても良い。ただし、バッテリー１６が消耗した際に、容易に交換が可能な箇所である必要がある。
【００２５】
人体センサ５が人を検知すると、制御回路１５は、発光素子１４を発光させる。また、外出時に、ドアを締めてキー１８によりドアが施錠されると、施錠応動スイッチ１７が閉じる。施錠応動スイッチ１７が閉じると、制御回路１５は、発光素子１４を発光させる。その際、発光素子１４を発光させたまま放置すると、バッテリー１６を消耗させるだけでなく、ドアの施錠状態が第三者に知られてしまうので、制御回路１５に組み込まれたタイマー回路により、一定時間、例えば、５秒あるいは１０秒後に発光素子１４を消灯させる。
【００２６】
また、バッテリー１６の放電が進んで制御回路１５が動作不能になる前にバッテリー１６の交換ができるように、バッテリー１６の出力電圧が所定値以下になったとき、制御回路１５によりそれを検知して、発光素子１４を発光させる。その際、発光素子１４を点滅させればより明確に注意喚起ができる。
【実施例２】
【００２７】
図５は、本願発明の第二実施例に係るドア施錠装置を示す図である。符号は、図１のものに対応している。この実施例では、人体センサ５をハンドル基部１の前面に設けている。このようにすれば、人体センサ５を、発光素子１４や制御回路１５と一体的にハンドル
基部１の内部に収納できる。
【実施例３】
【００２８】
図６は、本願発明の第三実施例に係るドア施錠装置を示す図である。符号１，４，５は、図１のものに対応しており、１９は透明アクリル樹脂等よりなる透明バー、２０はその中に内包される気泡である。この実施例は、バータイプの錠に本発明を適用したものであり、上下のハンドル基部１内に発光素子が設けられている。
【００２９】
人体センサ５で人を感知すると、上下の発光素子の内の一方又は両方が発光して、錠の位置を知らせる。また、上側及び下側のキーシリンダ４，４が施錠されると、それぞれ対応する発光素子が発光して、施錠されたことを知らせる。その際、気泡２０に光が反射して、装飾効果を高めることができる。
【００３０】
なお、上記各実施例における錠は、キーで開ける通常のものを使った場合で説明したが、カードキーで開けるタイプの錠や、錠に生体認証装置、すなわち、指紋，虹彩，手のひらや指の静脈の形等で人の認証を行う装置を設け、該生体認証装置により、正規の登録者であることが認証されたときのみ解錠されるようにした錠を用いてもよい。そのようにすれば、防犯効果がより一層向上する。
【００３１】
また、上記各実施例では、ドアの取手としてハンドル及びバータイプの錠に適用した場合で説明したが、本発明はドアノブ等、その他の取手のドアにも適用可能である。また、上記各実施例では、発光素子１４をハンドル基部１の内部に収納し、ハンドル先部２や透明バー１９を通して外部に光を照射するようにしたが、それらに限定されず、発光素子をドア取手に直接露出させて発光させるようにしてもよい。
【符号の説明】
【００３２】
１  ハンドル基部
２  ハンドル先部
３  発光部
４  キーシリンダ
５  人体センサ
６  ラッチボルト
７  デッドボルト
８  錠箱
９  フロント板
１０〜１２  ビス孔
１３  レンズ
１４  発光素子
１５  制御回路
１６  バッテリー
１７  施錠応動スイッチ
１８  キー
１９  透明バー
２０  気泡
【図１】
0003177485.tif 000003
【図２】
0003177485.tif 000004
【図３】
0003177485.tif 000005
【図４】
0003177485.tif 000006
【図５】
0003177485.tif 000007
【図６】
0003177485.tif 000008